(57)【要約】【課題】回動扉の支持体から回動扉への給電をワイヤレスにて行うようにして、機械的な劣化や破損が無い給電手段を提供し、また、回動扉の設置や修理の際に、給電手段の接続の煩わしさを排除するすることを目的とする。【解決手段】回動軸の固定側に１次コイルを内蔵し、前記回動軸の回動側に２次コイルを内蔵し、これらの１次コイルと２次コイルを重ね合わせて、回動軸の固定側から回動側に電磁結合で電力を供給する。また、回動軸によって支持された回動扉、または、回動軸に巻き取られる扉において、扉内に駆動装置を内蔵し、回動軸の固定側に１次コイルを内蔵し、前記回動軸の回動側に２次コイルを内蔵し、これらの１次コイルと２次コイルを電磁結合するように重ね合わせ、前記固定側の１次コイルに電源を接続し、前記回動側の２次コイルに前記駆動装置を接続してなるものである。【選択図】　図１
2004111825.tif 000002
【特許請求の範囲】
【請求項１】
回動軸の固定側に１次コイルを内蔵し、前記回動軸の回動側に２次コイルを内蔵し、これらの１次コイルと２次コイルを重ね合わせて、回動軸の固定側から回動側に電磁結合で電力を供給できるようにしたことを特徴とする給電装置兼用回動軸。
【請求項２】
鉄心材料鋼板をロール状に巻いた鉄心の軸を回動軸の回動軸とし、この軸に巻線を巻いたことを特徴とする請求項１記載の給電装置兼用回動軸。
【請求項３】
回動軸によって支持された回動扉、または、回動軸に巻き取られる扉において、扉内に駆動装置を内蔵し、回動軸の固定側に１次コイルを内蔵し、前記回動軸の回動側に２次コイルを内蔵し、これらの１次コイルと２次コイルを電磁結合するように重ね合わせ、前記固定側の１次コイルに電源を接続し、前記回動側の２次コイルに前記駆動装置を接続してなる自動扉。
【請求項４】
前記回動軸の回動側の２次コイルと回動扉に内蔵した駆動装置との間に、回動扉に内蔵した定電圧装置と制御装置を介在してなることを特徴とする請求項３記載の自動扉。
【発明の詳細な説明】
【０００１】
【発明の属する技術分野】
本発明は、駆動装置を内蔵して開閉する回動扉に関するもので、特に回動扉の支持体（柱など）側から回動扉側への給電装置を内蔵した回動軸に関するものである。
【０００２】
【従来の技術】
従来の自動回動扉に給電する方法としては、支持体と回動扉をワイヤハーネスで電気的に接続する方法などがあった。
【０００３】
【発明が解決しようとする課題】
従来のようにワイヤハーネスで支持体と回動扉を電気的に接続する方法では、回動扉の閉鎖時に支持体と回動扉の間に挟まってワイヤハーネスを傷めてしまうことがあった。また、回動扉の開閉の度にワイヤハーネスが直伸と屈曲などを繰り返すので、被覆が摺りきれて磨耗したり、屈曲の度合いによっては芯線を劣化させて切断することがあった。また、回動扉の設置や修理を行う場合の取り外しや取りつけを行う場合には、その都度ワイヤハーネスの取り外し、取り付けを行わなければならず不便であった。
【０００４】
本発明は、柱などの回動扉の支持体から回動扉への給電をワイヤレスにて行うようにして、機械的な劣化や破損が無い給電手段を提供し、また、回動扉の設置や修理の際に、給電手段の接続の煩わしさを排除するすることを目的とする。
【０００５】
【課題を解決するための手段】
本発明は、以上のような問題を解決するためになされたもので、回動軸の固定側に１次コイルを内蔵し、前記回動軸の回動側に２次コイルを内蔵し、これらの１次コイルと２次コイルを重ね合わせて、回動軸の固定側から回動側に電磁結合で電力を供給できるようにしたものである。また、回動軸によって支持柱に支持された回動扉に、駆動装置を内蔵し、回動軸の固定側に１次コイルを内蔵し、前記回動軸の回動側に２次コイルを内蔵し、これらの１次コイルと２次コイルを電磁結合するように重ね合わせ、前記固定側の１次コイルに電源を接続し、前記回動側の２次コイルに前記駆動装置を接続してなるものである。
【０００６】
【発明の実施の形態】
まず、本発明による給電装置兼用回動軸を用いた自動回動扉の一実施例を図１に基づいて説明する。
２は、支持柱１に取り付けられた回動扉であり、この回動扉２は、上側の給電装置兼用回動軸（以下、給電回動軸と略す）３と、下側の駆動装置兼用回動軸（以下、駆動回動軸と略す）１０を介して支持柱１に支持されている。給電回動軸３の支持柱１側には、スイッチング回路１２が接続され、スイッチング回路１２には電力の供給源としての商用電源と太陽電池などを切換える切換器１３が接続されている。給電回動軸３の回動扉２側（内）には、定電圧装置５を介して制御装置６に接続され、この制御装置６は操作部８、表示部９、駆動回動軸１０および電気錠１１に接続されている。
【０００７】
前記給電回動軸３は、図３および図４に示すように、鉄心２１とボビン２５に巻かれた巻線２４からなる１次コイル３７と、鉄心２２とボビン２７に巻かれた巻線２６からなる２次コイル３８と、間に介在するベアリング２３とで構成されている。
１次コイル３７の鉄心２１は、鉄心材料鋼板をロール状に巻いて形成されており、周囲の円筒部２１１と中央の軸部２１２と、これらの間の底部２１３でボビン２５を３方から包囲するように形成されている。前記軸部２１２は、円筒部２１１よりも下側に向けて略ベアリング２３の高さ分だけ突出している。また、ボビン２５は、前記円筒部２１１の高さにコイル２４が収納されるように鍔が形成されるている。この給電回動軸３の１次コイル３７の鉄心２１が支持柱１の上部に固着されている。
【０００８】
２次コイル３８の鉄心２２は、１次コイル３７と同様に、薄い鉄板をロール状に巻いて形成されており、周囲の円筒部２２１と中央の軸部２２２と、これらの間の底部２２３でボビン２７を包囲するように形成されている。前記軸部２２２は、円筒部２２１よも下側に向けて略ベアリング２３の高さ分だけ低く形成されている。また、ボビン２７は、前記軸部２２２の高さにコイル２４が収納されるように鍔が形成されるている。
前記１次コイル３７の鉄心２１と２次コイル３８の鉄心２２は、円筒部２１１、２２１と底部２１３、２２３と軸部２１２、２２２とを１枚の連続した鉄板を巻いて形成しても良いが、それぞれの部分別に所定幅の別体の鉄板を用いて形成しても良い。前者は製造コストが高くなるが機械的強度が高いものが得られる。それに対して後者は、機械的強度が劣るが製造コストを押さえることができる。
【０００９】
前記駆動回動軸１０は、図２に示すように、駆動用のモータ３１に減速用のギアボックス３２が取り付けられ、ギアボックス３２の軸３４が扉持ち金具３５に固着され、この扉持ち金具３５が支持柱１の下部に設けられた扉持ちホール３６に嵌合している。軸３４の先端側と扉持ち金具３４の嵌合用穴には、図２（ｂ）に示すように、回転止めの切り欠きが設けられている。
【００１０】
以上のような構成において、切換器１３が、日照条件や太陽電池側からの出力電圧などの条件により、太陽電池が使用可能な場合には太陽電池側に、太陽電池が使用不可能な場合には商用電源側に電源を切換えて、スイッチング回路１２に電源を供給する。スイッチング回路１２から給電回動軸３の１次コイル３７に電力が供給されると、電磁結合によって２次コイル３８に電力が伝達され、定電圧装置５を介して制御装置６へ電力が供給される。そして、操作部８からの操作信号にしたがって制御装置６から駆動回動軸３、表示部９および電気錠１１に電力が供給されて、回動扉１の開閉を行い、表示部９に各種の表示を行い、施錠、解錠を行う。
【００１１】
以上の実施例では、回動扉２の内部に制御装置６、操作部８などを内蔵するようにしたが、本発明はこれに限られるものではなく、制御装置６や操作部８を設置場所の壁などに設置し、回動扉２を駆動するときにだけ、給電回動軸３を介して駆動回動軸１０へ駆動電力を供給するようにすることもできる。
また、以上の実施例では、回動軸が直立した回動扉２について説明したが、本発明はこれに限られるものではなく、回動軸が水平に設置された扉、例えばウイングゲートやシャッターなどにも用いることができる。
【００１２】
【発明の効果】
本願の発明は、以上のように、回動扉を支持する回動軸内部に１次コイルと２次コイルを内蔵したので、支持側と回動扉側を電気的に接続するためにワイヤハーネスなどの機械的な接続を必要としなくなる。したがって、給電装置における機械的な磨耗や破損を無くすることができるという効果を有するものである。また、回動扉の設置や修理を行う場合の取り外しや取りつけを行う場合にも、ワイヤハーネスの取り外し、取り付けなどの煩わしい作業を無くすることができるという効果を有するものである。
【図面の簡単な説明】
【図１】本発明による給電回動軸を用いた回動扉の概念図である。
【図２】図１の回動扉の駆動回動軸を示す説明図であり、（ａ）は側断面図、（ｂ）は軸の切り欠き示す単面図である。
【図３】本発明による給電回動軸を示す縦断面図である。
【図４】図３の給電回動軸の巻線を省略した分解図であり、（ａ）は１次コイル側の鉄心と巻線用のボビンを示す図、（ｂ）は２次コイル側の鉄心とボビンを示す図である。
【符号の説明】
１…支持扉、２…回動扉、３…給電回動軸、５…定電圧装置、６…制御装置、８…操作部、９…表示部、１０…駆動回動軸、１１…電気錠、１２…スイッチング回路、１３…切換器、２１…１次コイルの鉄心、２２…２次コイルの鉄心、２３…ベアリング、２４…１次コイルの巻線、２５…１次コイルのボビン、２６…２次コイルの巻線、２７…２次コイルのボビン、３１…モータ、３２…減速ギアボックス、３４…ギアボックスの軸、３５…扉持ち金具、３７…１次コイル、３８…２次コイル。
【図１】
2004111825.tif 000003
【図２】
2004111825.tif 000004
【図３】
2004111825.tif 000005
【図４】
2004111825.tif 000006